(57)【要約】【課題】使用波長または多重盤を追加することなく、任意の通信装置の間で複数のパスを設定すること。【解決手段】通信システム１０は、リニアに接続され、受信した信号を分岐または送信し、送信する信号に他の信号を挿入する始端局、中間局および終端局を備える通信システムである。始端局の通信装置＃１は、後段の中間局へ信号を送信するとともに、終端局から送信されて中間局を通過した信号を受信する。中間局の通信装置＃２および通信装置＃３は、前段局からの信号を受信し、後段局へ信号を送信するとともに、後段局からの信号を前段局へ通過させる。終端局の通信装置＃４は、前段の中間局からの信号を受信するとともに、中間局を通過させて始端局へ信号を送信する。【選択図】図１
2009239873.tif 000002
【特許請求の範囲】
【請求項１】
リニアに接続され、受信した信号を分岐または送信し、送信する信号に他の信号を挿入する始端局、中間局および終端局を備える通信システムにおいて、
後段の中間局へ信号を送信するとともに、前記終端局から送信されて前記中間局を通過した信号を受信する通信装置を有する始端局と、
前段局からの信号を受信し、後段局へ信号を送信するとともに、前記後段局からの信号を前記前段局へ通過させる通信装置を有する中間局と、
前段の中間局からの信号を受信するとともに、前記中間局を通過させて前記始端局へ信号を送信する通信装置を有する終端局と、
を備えることを特徴とする通信システム。
【請求項２】
前記始端局、中間局および終端局が有する各通信装置は、互いに同一の波長の信号を時間多重によって送受信する各多重盤をそれぞれ備えており、前記各多重盤の間で複数のパスが設定されることを特徴とする請求項１に記載の通信システム。
【請求項３】
前記始端局、中間局および終端局は、光ファイバによってリング状に接続された各局であって、論理的にリニアに接続されていることを特徴とする請求項１または２に記載の通信システム。
【請求項４】
前記始端局の通信装置は、
前記終端局から送信され、前記中間局を通過した自局宛の信号および前記中間局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を後段の中間局へ送信する送信手段と、
を備えることを特徴とする請求項１〜３のいずれか一つに記載の通信システム。
【請求項５】
前記中間局の通信装置は、
前段局から送信された信号を受信する受信手段と、
前記受信手段によって受信された信号のうちの自局宛の信号を出力する出力ポートと、
前段局宛の信号および後段局の信号が入力される入力ポートと、
前記受信手段によって受信された信号のうちの前段局宛の信号および後段局宛の信号と、前記入力ポートから入力された信号と、を後段局へ送信する送信手段と、
後段局から送信された自局宛の信号および前段局宛の信号を前段局へ通過させるスルー経路と、
を備えることを特徴とする請求項１〜４のいずれか一つに記載の通信システム。
【請求項６】
リニアに接続された始端局、中間局および終端局のうちの始端局の通信装置において、
前記終端局から送信され、前記中間局を通過した自局宛の信号および前記中間局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を後段の中間局へ送信する送信手段と、
を備えることを特徴とする通信装置。
【請求項７】
リニアに接続された始端局、中間局および終端局のうちの中間局の通信装置において、
前段局から送信された信号を受信する受信手段と、
前記受信手段によって受信された信号のうちの自局宛の信号を出力する出力ポートと、
前段局宛の信号および後段局の信号が入力される入力ポートと、
前記受信手段によって受信された信号のうちの前段局宛の信号および後段局宛の信号と、前記入力ポートから入力された信号と、を後段局へ送信する送信手段と、
後段局から送信された自局宛の信号および前段局宛の信号を前段局へ通過させるスルー経路と、
を備えることを特徴とする通信装置。
【請求項８】
リニアに接続された始端局、中間局および終端局のうちの終端局の通信装置において、
前段の中間局から送信された、自局宛の信号および前記前段の中間局より前段の他局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を前記中間局を通過させて前記始端局へ送信する送信手段と、
を備えることを特徴とする通信装置。
【発明の詳細な説明】
【技術分野】
【０００１】
この発明は、光信号を伝送する通信システムおよび通信装置に関する。
【背景技術】
【０００２】
光通信キャリアのネットワークにおいて、波長分割多重（ＷＤＭ：Ｗａｖｅｌｅｎｇｔｈ  Ｄｉｖｉｓｉｏｎ  Ｍｕｌｔｉｐｌｅｘｉｎｇ）装置は、複数のクライアント信号（たとえば、Ｇｉｇａｂｉｔ  イーサネット（登録商標）信号、Ｆａｓｔ  イーサネット信号、ＳＴＭ−０／ＯＣ−１、ＳＴＭ−１／ＯＣ−３、ＳＴＭ−４／ＯＣ−１２、ＳＴＭ−１６／ＯＣ−４８信号）を、一波長の中で多重（たとえば時間多重）して伝送する。
【０００３】
これは、限られたネットワーク側の波長を低速なクライアント信号のチャネルだけで使用してしまうことを回避するための方式である。この方式は、多重化方式に違いはあるものの、各装置ベンダで採用されており、ネットワークで実運用されている。多重されたクライアント信号を任意の拠点で挿入または分岐するために、波長分割多重装置には、波長ごとに多重盤が設けられている（たとえば、下記特許文献１参照。）。
【０００４】
また、リング型の通信システムにおいては、ＵＰＳＲ（Ｕｎｉｄｉｒｅｃｔｉｏｎａｌ  Ｐａｔｈ  Ｓｗｉｔｃｈｅｄ  Ｒｉｎｇ：単方向パス切換リング）に対応するために、各通信装置は、複数のクライアント信号を多重した光信号を右方向／左方向の両方向に送信する。両方向から送信された各光信号は、受信側でいずれかを選択して受信される。
【０００５】
【特許文献１】特開平１０−０４１８８９号公報
【発明の開示】
【発明が解決しようとする課題】
【０００６】
しかしながら、上述した従来技術では、あるパスを設定した２つの通信装置の間においては、設定されたパスと同一波長の別のパスを設定することができないという問題がある。このため、別のパスを設定するためには使用波長を追加する必要があり、波長分割多重の通信システムにおける波長資源を効率的に利用することができないという問題がある。
【０００７】
たとえば、リング状に接続された通信装置＃１、＃２、＃３、＃４がこの順に接続されているネットワークを想定する。このネットワークにおいて、通信装置＃１と通信装置＃４を各分岐挿入点として、通信装置＃２と通信装置＃３では該当する波長の光信号をスルーさせるパスを設定したとする。この場合は、通信装置＃２と通信装置＃３を各分岐挿入点とするパスを新たに設定するためには、通信装置＃１と通信装置＃４に設定されたパスの波長とは異なる波長によって新たなパスを設定しなければならない。
【０００８】
これに対して、新たなパスの分岐挿入点となる各通信装置に冗長な多重盤を追加することで、使用波長を追加することなく、任意の通信装置の間で複数のパスを設定することが考えられる。しかしながら、冗長な多重盤を追加すると、通信装置のコストが増加するという問題がある。また、将来設定されるパスのために多重盤の最大収容数を確保しておく必要があるため、通信装置のコストがさらに増加するという問題がある。
【０００９】
開示の通信システムおよび通信装置は、上述した問題点を解消するものであり、使用波長または多重盤を追加することなく、任意の通信装置の間で複数のパスを設定することを目的とする。
【課題を解決するための手段】
【００１０】
上述した課題を解決し、目的を達成するため、この通信システムは、リニアに接続され、受信した信号を分岐または送信し、送信する信号に他の信号を挿入する始端局、中間局および終端局を備える通信システムにおいて、後段の中間局へ信号を送信するとともに、前記終端局から送信されて前記中間局を通過した信号を受信する通信装置を有する始端局と、前段局からの信号を受信し、後段局へ信号を送信するとともに、前記後段局からの信号を前記前段局へ通過させる通信装置を有する中間局と、前段の中間局からの信号を受信するとともに、前記中間局を通過させて前記始端局へ信号を送信する通信装置を有する終端局と、を備えることを要件とする。
【００１１】
上記構成によれば、始端局から終端局への方向においては各通信装置で信号の受信および送信を行い、終端局から始端局への方向においては信号を通過させることで、信号の挿入および分岐の処理を一方向のみにすることができる。このため、新たに多重盤を設けることなく、任意の通信装置の間で同一波長の複数のパスを設定することができる。
【発明の効果】
【００１２】
開示の通信システムおよび通信装置によれば、使用波長または多重盤を追加することなく、任意の通信装置の間で複数のパスを設定することができるという効果を奏する。
【発明を実施するための最良の形態】
【００１３】
以下に添付図面を参照して、この発明にかかる通信システムおよび通信装置の好適な実施の形態を詳細に説明する。
【００１４】
（実施の形態）
図１は、実施の形態にかかる通信システムの機能的構成を示すブロック図である。図１に示すように、実施の形態にかかる通信システム１０は、通信装置＃１〜＃４を備えている。通信装置＃１〜＃４は、通信装置＃１を始端局、通信装置＃２および通信装置＃３を中間局、通信装置＃４を終端局として、論理的にリニアに接続されている。
【００１５】
論理的にリニアに接続とは、通信装置＃１〜＃４の物理的な接続形態にかかわらず、通信装置＃１〜＃４の間でリニアな伝送経路を構成することをいう。ここでは、通信装置＃１〜＃４は光ファイバでリング状に接続されている。そして、通信装置＃１と通信装置＃４の間の経路１１は用いずに、通信装置＃１〜＃４が論理的にリニアに接続されている。
【００１６】
通信装置＃１〜＃４のそれぞれは、異なる波長の光信号を多重化して互いに光信号を送受信する波長分割多重装置である。通信装置＃１〜＃４のそれぞれは、複数の波長に対応した複数の多重盤を備えている。ここでは、通信装置＃１〜＃４のそれぞれにおいて、複数の多重盤のうちの１つのみを図示している。
【００１７】
具体的には、通信装置＃１が備える多重盤１００と、通信装置＃２が備える多重盤２００と、通信装置＃３が備える多重盤３００と、通信装置＃４が備える多重盤４００と、を図示している。多重盤１００、多重盤２００、多重盤３００および多重盤４００は、同一の波長λ１を用いて互いに信号を送受信する。
【００１８】
また、多重盤１００、多重盤２００、多重盤３００および多重盤４００のそれぞれは、信号を時間多重して、任意の多重盤において信号のＡｄｄ（挿入）およびＤｒｏｐ（分岐）を行うことで、任意の多重盤の間でパスを設定する。任意の多重盤の間でパスを複数設定することにより、同一波長内で複数のチャネルが実現される。
【００１９】
ここでは、多重盤１００、多重盤２００、多重盤３００および多重盤４００の間では最大で４つのチャネルを設定できるようにする。各多重盤のそれぞれには、ポート番号Ｐ１〜Ｐ４の入力ポートと、ポート番号Ｐ１〜Ｐ４の出力ポートと、が設けられている。ポート番号Ｐ１〜Ｐ４は、４つのチャネルのそれぞれに対応する番号である。各入力ポートおよび各出力ポートは、通信システム１０の外部（クライアント側）に接続されている。
【００２０】
始端局である通信装置＃１の多重盤１００の構成について説明する。多重盤１００は、受信部１１０と、入力ポート１２１〜１２３と、信号処理部１３０と、出力ポート１４１〜１４３と、送信部１５０と、を備えている。入力ポート１２１〜１２３は、それぞれポート番号Ｐ１〜Ｐ４に対応している。出力ポート１４１〜１４３は、それぞれポート番号Ｐ１〜Ｐ４に対応している。
【００２１】
受信部１１０は、終端局である通信装置＃４から送信され、中間局である通信装置＃３および通信装置＃２を通過した光信号を受信する。受信部１１０は、受信した光信号を電気信号に変換して信号処理部１３０へ出力する。入力ポート１２１〜１２３のそれぞれには、通信装置＃２〜＃４のいずれかを宛先とする信号（他局宛の信号）が入力される。入力ポート１２１〜１２３は、入力された信号を信号処理部１３０へ出力する。
【００２２】
信号処理部１３０は、受信部１１０から出力された信号のうちの出力ポート１４１〜１４３のいずれかを宛先とする信号（自局宛の信号）を、宛先に応じて出力ポート１４１〜１４３へ出力する（Ｄｒｏｐ）。また、信号処理部１３０は、受信部１１０から出力された信号のうちの他局宛の信号を送信部１５０へ出力する（Ｌｏｏｐｂａｃｋ）。
【００２３】
また、信号処理部１３０は、入力ポート１２１〜１２３から出力された信号を時間多重して送信部１５０へ出力する（Ａｄｄ）。出力ポート１４１〜１４３は、信号処理部１３０から出力された信号を通信システム１０の外部へ出力する。送信部１５０は、信号処理部１３０から送信された信号を光信号に変換して通信装置＃２へ送信する。
【００２４】
中間局である通信装置＃２の多重盤２００の構成について説明する。多重盤２００は、受信部２１０と、入力ポート２２１〜２２３と、信号処理部２３０と、出力ポート２４１〜２４３と、送信部２５０と、スルー経路２６０と、を備えている。入力ポート２２１〜２２３は、それぞれポート番号Ｐ１〜Ｐ４に対応している。出力ポート２４１〜２４３は、それぞれポート番号Ｐ１〜Ｐ４に対応している。
【００２５】
受信部２１０は、通信装置＃２の前段局である通信装置＃１から送信された光信号を受信する。受信部２１０は、受信した光信号を電気信号に変換して信号処理部２３０へ出力する。入力ポート２２１〜２２３には、通信装置＃１，＃３，＃４が備える各出力ポートのいずれかを宛先とする信号が入力される。入力ポート２２１〜２２３は、入力された信号を信号処理部２３０へ出力する。
【００２６】
信号処理部２３０は、受信部２１０から出力された信号のうちの出力ポート２４１〜２４３のいずれかを宛先とする信号（自局宛の信号）を、宛先に応じて出力ポート２４１〜２４３へ出力する（Ｄｒｏｐ）。また、信号処理部２３０は、受信部２１０から出力された信号のうちの、通信装置＃１，＃３，＃４が備える各出力ポートのいずれかを宛先とする信号を時間多重して送信部２５０へ出力する（Ｌｏｏｐｂａｃｋ）。
【００２７】
また、信号処理部２３０は、入力ポート２２１〜２２３から出力された信号を時間多重して送信部２５０へ出力する（Ａｄｄ）。出力ポート２４１〜２４３は、信号処理部２３０から出力された信号を通信システム１０の外部へ出力する。送信部２５０は、信号処理部２３０から送信された信号を光信号に変換して後段局である通信装置＃３へ送信する。
【００２８】
スルー経路２６０は、後段局である通信装置＃３からの信号を、前段局である通信装置＃１へ通過させる。スルー経路２６０が通過させる信号には、自局宛の信号および他局宛の信号が含まれている。このように、通信装置＃２は、通信装置＃１から送信された信号を、宛先に応じてＤｒｏｐまたはＬｏｏｐｂａｃｋさせる。また、通信装置＃２は、通信装置＃３から送信された信号を、宛先にかかわらず通信装置＃１へ通過させる。
【００２９】
中間局である通信装置＃３の多重盤３００の構成について説明する。多重盤３００は、受信部３１０と、入力ポート３２１〜３２３と、信号処理部３３０と、出力ポート３４１〜３４３と、送信部３５０と、スルー経路３６０と、を備えている。入力ポート３２１〜３２３は、それぞれポート番号Ｐ１〜Ｐ４に対応している。出力ポート３４１〜３４３は、それぞれポート番号Ｐ１〜Ｐ４に対応している。
【００３０】
受信部３１０は、通信装置＃３の前段局である通信装置＃２から送信された光信号を受信する。受信部３１０は、受信した光信号を電気信号に変換して信号処理部３３０へ出力する。入力ポート３２１〜３２３には、通信装置＃１，＃２，＃４が備える各出力ポートのいずれかを宛先とする信号が入力される。入力ポート３２１〜３２３は、入力された信号を信号処理部３３０へ出力する。
【００３１】
信号処理部３３０は、受信部３１０から出力された信号のうちの出力ポート３４１〜３４３のいずれかを宛先とする信号（自局宛の信号）を、宛先に応じて出力ポート３４１〜３４３へ出力する（Ｄｒｏｐ）。また、信号処理部３３０は、受信部３１０から出力された信号のうちの、通信装置＃１，＃２，＃４が備える各出力ポートのいずれかを宛先とする信号を時間多重して送信部３５０へ出力する（Ｌｏｏｐｂａｃｋ）。
【００３２】
また、信号処理部３３０は、入力ポート３２１〜３２３から出力された信号を時間多重して送信部３５０へ出力する（Ａｄｄ）。出力ポート３４１〜３４３は、信号処理部３３０から出力された信号を通信システム１０の外部へ出力する。送信部３５０は、信号処理部３３０から送信された信号を光信号に変換して後段局である通信装置＃４へ送信する。
【００３３】
スルー経路３６０は、後段局である通信装置＃３からの信号を、前段局である通信装置＃２へ通過させる。スルー経路３６０が通過させる信号には、自局宛の信号および他局宛の信号が含まれている。このように、通信装置＃３は、通信装置＃１から送信された光信号を、宛先に応じてＤｒｏｐまたはＬｏｏｐｂａｃｋさせる。また、通信装置＃３は、通信装置＃４から送信された光信号を、宛先にかかわらず通信装置＃２へ通過させる。
【００３４】
終端局である通信装置＃４の多重盤４００の構成について説明する。多重盤４００は、受信部４１０と、入力ポート４２１〜４２３と、信号処理部４３０と、出力ポート４４１〜４４３と、送信部４５０と、を備えている。入力ポート４２１〜４２３は、それぞれポート番号Ｐ１〜Ｐ４に対応している。出力ポート４４１〜４４３は、それぞれポート番号Ｐ１〜Ｐ４に対応している。
【００３５】
受信部４１０は、前段の中間局である通信装置＃３から送信された光信号を受信する。受信部４１０は、受信した光信号を電気信号に変換して信号処理部４３０へ出力する。入力ポート４２１〜４２３のそれぞれには、通信装置＃１〜＃３のいずれかを宛先とする信号（他局宛の信号）が入力される。入力ポート４２１〜４２３は、入力された信号を信号処理部４３０へ出力する。
【００３６】
信号処理部４３０は、受信部４１０から出力された信号のうちの出力ポート４４１〜４４３のいずれかを宛先とする信号（自局宛の信号）を、宛先に応じて出力ポート４４１〜４４３へ出力する（Ｄｒｏｐ）。また、信号処理部４３０は、受信部４１０から出力された信号のうちの他局宛の信号を送信部４５０へ出力する（Ｌｏｏｐｂａｃｋ）。
【００３７】
また、信号処理部４３０は、入力ポート４２１〜４２３から出力された信号を時間多重して送信部４５０へ出力する（Ａｄｄ）。出力ポート４４１〜４４３は、信号処理部４３０から出力された信号を通信システム１０の外部へ出力する。送信部４５０は、信号処理部４３０から送信された信号を光信号に変換する。送信部４５０は、光信号を、中間局である通信装置＃３と通信装置＃２を通過させ、始端局である通信装置＃１へ送信する。
【００３８】
受信部１１０，２１０，３１０，４１０のそれぞれは、たとえばフォトダイオード（ＰＤ：Ｐｈｏｔｏ  Ｄｉｏｄｅ）である。信号処理部１３０，２３０，３３０，４３０のそれぞれは、たとえばＣＰＵ（Ｃｅｎｔｒａｌ  Ｐｒｏｃｅｓｓｉｎｇ  Ｕｎｉｔ）である。送信部１５０，２５０，３５０，４５０のそれぞれは、たとえばレーザーダイオード（ＬＤ：Ｌａｓｅｒ  Ｄｉｏｄｅ）である。スルー経路２６０およびスルー経路３６０のそれぞれは、たとえば光ファイバである。
【００３９】
ここでは、実線で示すように、通信装置＃１と通信装置＃４の間にポート番号１を用いたパスが設定されている。また、点線で示すように、通信装置＃１と通信装置＃２の間にポート番号２を用いたパスが設定されている。また、鎖線で示すように、通信装置＃２と通信装置＃３の間にポート番号３を用いたパスが設定されている。太線矢印は、実線で示すパスと、点線で示すパスと、鎖線で示すパスと、を時間多重したパスを示している。
【００４０】
通信装置＃１と通信装置＃４の間のパス（図の実線）について説明する。通信装置＃１の入力ポート１２１には、通信装置＃４の出力ポート４４１宛の信号が入力（Ａｄｄ）される。入力ポート１２１へ入力された信号は通信装置＃２へ送信される。通信装置＃２は、通信装置＃１から送信された信号が他局宛の信号であるため、この信号をＬｏｏｐｂａｃｋさせて通信装置＃３へ送信する。
【００４１】
通信装置＃３は、通信装置＃２から送信された信号が他局宛の信号であるためこの信号をＬｏｏｐｂａｃｋさせて通信装置＃４へ送信する。通信装置＃４は、通信装置＃３から送信された信号が自局の出力ポート４４１宛の信号であるため、この信号を出力ポート４４１から出力（Ｄｒｏｐ）する。
【００４２】
一方、通信装置＃４の入力ポート４２１には、通信装置＃１の出力ポート１４１宛の信号が入力（Ａｄｄ）される。入力ポート４２１へ入力された信号は、通信装置＃３および通信装置＃２を通過して通信装置＃１へ送信される。通信装置＃３は、通信装置＃４からの信号を通信装置＃２へ通過させる。通信装置＃２は、通信装置＃３からの信号を通信装置＃１へ通過させる。通信装置＃１は、通信装置＃２からの信号が自局の出力ポート１４１宛の信号であるため、この信号を出力ポート１４１から出力（Ｄｒｏｐ）する。
【００４３】
通信装置＃１と通信装置＃２の間のパス（図の点線）について説明する。通信装置＃１の入力ポート１２２には、通信装置＃２の出力ポート２４２宛の信号が入力（Ａｄｄ）される。入力ポート１２２へ入力された信号は通信装置＃２へ送信される。通信装置＃２は、通信装置＃１から送信された信号が自局の出力ポート２４２宛の信号であるため、この信号を出力ポート２４２から出力（Ｄｒｏｐ）する。
【００４４】
一方、通信装置＃２の入力ポート２２２には、通信装置＃１の出力ポート１４２宛の信号が入力（Ａｄｄ）される。入力ポート２２２へ入力された信号は通信装置＃３へ送信される。通信装置＃３は、通信装置＃２から送信された信号が他局宛の信号であるため、この信号をＬｏｏｐｂａｃｋさせて通信装置＃４へ送信する。
【００４５】
通信装置＃４は、通信装置＃３から送信された信号が他局宛の信号であるため、この信号をＬｏｏｐｂａｃｋさせて通信装置＃１へ送信する。通信装置＃４から通信装置＃１へ送信される信号は、通信装置＃３および通信装置＃２を通過する。通信装置＃３は、通信装置＃４からの信号を通信装置＃２へ通過させる。通信装置＃２は、通信装置＃３からの信号を通信装置＃１へ通過させる。
【００４６】
通信装置＃１は、通信装置＃２からの信号が他局宛の信号であるため、この信号をＬｏｏｐｂａｃｋさせて通信装置＃２へ送信する。通信装置＃２は、通信装置＃１から送信された信号が自局の出力ポート２４２宛の信号であるため、この信号を出力ポート２４２から出力（Ｄｒｏｐ）する。
【００４７】
通信装置＃２と通信装置＃３の間のパス（鎖線）について説明する。通信装置＃２の入力ポート２２３には、通信装置＃３の出力ポート３４３宛の信号が入力（ａｄｄ）される。入力ポート２２３へ入力された信号は通信装置＃３へ送信される。通信装置＃３は、通信装置＃１から送信された信号が自局の出力ポート３４３宛の信号であるため、この信号を出力ポート３４３から出力（Ｄｒｏｐ）する。
【００４８】
一方、通信装置＃３の入力ポート３２３には、通信装置＃２の出力ポート２４３宛の信号が入力（Ａｄｄ）される。入力ポート３２３へ入力された信号は通信装置＃４へ送信される。通信装置＃４は、通信装置＃３から送信された信号が他局宛の信号であるため、この信号をＬｏｏｐｂａｃｋさせて通信装置＃１へ送信する。通信装置＃３から通信装置＃１へ送信される信号は、通信装置＃３および通信装置＃２を通過する。
【００４９】
通信装置＃３は、通信装置＃４からの信号を通信装置＃２へ通過させる。通信装置＃２は、通信装置＃３からの信号を通信装置＃１へ通過させる。通信装置＃１は、通信装置＃２から送信された信号が他局宛の信号であるためこの信号をＬｏｏｐｂａｃｋさせて通信装置＃２へ送信する。通信装置＃２は、通信装置＃１から送信された信号が自局の出力ポート２４３宛の信号であるためこの信号を出力ポート２４３から出力（Ｄｒｏｐ）する。
【００５０】
このように、通信装置＃１は、終端局である通信装置＃４からの信号のみを受信してＡｄｄ、ＤｒｏｐまたはＬｏｏｐｂａｃｋの制御を行う。また、通信装置＃２〜＃４は、それぞれの前段局からの信号のみを受信してＡｄｄ、ＤｒｏｐまたはＬｏｏｐｂａｃｋの制御を行う。このため、波長λ１を用いる複数のパスを設定するために、通信装置＃１〜＃４に設ける多重盤はそれぞれ１つでよい。
【００５１】
通信装置＃１〜＃４のそれぞれの間を結ぶ光ファイバは、通信装置＃１から通信装置＃４へ向かう方向と、通信装置＃４から通信装置＃１へ向かう方向と、に一本ずつ設ける。また、ここでは波長λ１のみを用いる場合について説明したが、通信装置＃１〜＃４のそれぞれの間を結ぶ光ファイバを一本にして、通信装置＃１から通信装置＃４へ向かう方向と、通信装置＃４から通信装置＃１へ向かう方向と、で異なる波長を用いてもよい。
【００５２】
図２は、図１に示したスルー経路の変形例を示すブロック図である。図２において、図１に示した構成と同様の構成については同一の符号を付して説明を省略する。図２に示すように、多重盤２００は、ドロップイン部２０１と、信号処理モジュール２０２と、アドアウト部２０３と、スルーイン部２０４と、スルーアウト部２０５と、入力ポート２２１〜２２３と、出力ポート２４１〜２４３と、を備えている。
【００５３】
ドロップイン部２０１（Ｄｒｏｐ  ＩＮ）は、図１に示した受信部２１０に対応する構成である。ドロップイン部２０１は、通信装置＃１から送信された光信号を受信して、受信した光信号を電気信号に変換して信号処理モジュール２０２へ出力する。信号処理モジュール２０２は、図１に示した信号処理部２３０に対応する構成である。
【００５４】
信号処理モジュール２０２は、ドロップイン部２０１から出力された信号の宛先を判別する。信号処理モジュール２０２は、判別した宛先が２４１〜２４３のいずれかである場合は、その信号のフレームのデマッピングを行い、取り出したデータを示す信号を宛先が示す出力ポートへ出力する。信号処理モジュール２０２は、判別した宛先が他局である場合は、その信号を折り返してアドアウト部２０３へ出力する。
【００５５】
また、信号処理モジュール２０２は、入力ポート２２１〜２２３から出力された信号をフレームにマッピングする。信号処理モジュール２０２は、デマッピングした各信号を時間多重してアドアウト部２０３へ出力する。アドアウト部２０３（Ａｄｄ  ＯＵＴ）は、図１に示した送信部２５０に対応する構成である。アドアウト部２０３は、信号処理モジュール２０２から出力された信号を光信号に変換して通信装置＃３へ送信する。
【００５６】
スルーイン部２０４（Ｔｈｒｏｕｇｈ  ＩＮ）およびスルーアウト部２０５（Ｔｈｒｏｕｇｈ  ＯＵＴ）は、図１に示したスルー経路２６０に対応する構成である。スルーイン部２０４には、通信装置＃３からの光信号が入力される。スルーイン部２０４は、入力された信号を光信号のままスルーアウト部２０５へ出力する。スルーアウト部２０５は、スルーイン部２０４から出力された光信号を通信装置＃１へ通過させる。
【００５７】
このように、図１に示したスルー経路２６０は、スルーイン部２０４から光信号を多重盤２００の内部に取り込んで、光電変換や信号処理を行うことなくアドアウト部２０３から出力する経路によっても構成することができる。ここでは多重盤２００の構成について説明したが、多重盤３００の構成についても同様である。
【００５８】
図１に示した通信システム１０においては、図１に示した各多重盤の他に、異なる波長を用いる多重盤を同時に用いて波長多重通信システムを実現する。通信システム１０においては、同一の波長を用いる各多重盤を１つのＳＵＢｃｈ（サブチャネル）として管理する。多重盤１００、多重盤２００、多重盤３００および多重盤４００は、波長λ１を用いるため同一のＳＵＢｃｈに属する。つぎに、ＳＵＢｃｈの設定について説明する。
【００５９】
図３は、ＳＵＢｃｈの設定手順の一例を示すシーケンス図である。図３に示す各ステップを行う前に、通信装置＃１〜＃４が物理的に接続されていることを前提とする。図３に示す各ステップにおける設定情報の送受信は、監視チャネル（ＯＳＣ：Ｏｐｔｉｃａｌ  Ｓｕｐｅｒｖｉｓｏｒｙ  Ｃｈａｎｎｅｌｓ）を用いて行う。
【００６０】
まず、通信システム１０の保守者が、通信装置＃１のＳＵＢｃｈ設定を行う（ステップＳ３０１）。ステップＳ３０１においては、ＳＵＢｃｈの名称を「Ｔｅｓｔ１」に設定する。また、ＳＵＢｃｈ「Ｔｅｓｔ１」に属する通信装置＃１の対象多重盤を多重盤１００に設定する。また、ＳＵＢｃｈ「Ｔｅｓｔ１」の使用波長をλ１に設定する。
【００６１】
また、ＳＵＢｃｈ「Ｔｅｓｔ１」の始端局を多重盤１００に設定する。また、ＳＵＢｃｈ「Ｔｅｓｔ１」のＡ／Ｄ／Ｔ設定を「Ｅａｓｔ」に設定する。Ａ／Ｄ／Ｔ設定とは、自局が始端局、中間局および終端局のいずれであるかを示す設定である。Ａ／Ｄ／Ｔ設定の「Ｅａｓｔ」は、自局が始端局であることを示している。また、多重盤１００は終端局ではないため、ＳＵＢｃｈ「Ｔｅｓｔ１」の終端局の設定は空白にしておく。
【００６２】
つぎに、通信装置＃１が、ステップＳ３０１によって設定された設定情報を通信装置＃２〜＃４のそれぞれに対して通知する（ステップＳ３０２）。これに対して、通信装置＃２〜＃４は、通信装置＃１から通知された設定情報に含まれるＳＵＢｃｈの名称「Ｔｅｓｔ１」が自局に設定されていないため、テーブルの共有は行わない。
【００６３】
つぎに、通信装置＃１が、ステップＳ３０１によって設定された設定情報を含むテーブルを作成する（ステップＳ３０３）。つぎに、保守者が、通信装置＃２のＳＵＢｃｈ設定を行う（ステップＳ３０４）。ここでは、ＳＵＢｃｈの名称を「Ｔｅｓｔ１」に設定する。また、ＳＵＢｃｈ「Ｔｅｓｔ１」に属する通信装置＃２の対象多重盤を多重盤２００に設定する。また、ＳＵＢｃｈ「Ｔｅｓｔ１」の使用波長をλ１に設定する。
【００６４】
また、ＳＵＢｃｈ「Ｔｅｓｔ１」のＡ／Ｄ／Ｔ設定を「Ｔｈｒｏｕｇｈ」に設定する。Ａ／Ｄ／Ｔ設定の「Ｔｈｒｏｕｇｈ」は、自局が中間局であることを示している。また、多重盤２００は始端局ではないため、ＳＵＢｃｈ「Ｔｅｓｔ１」の始端局の設定は空白にしておく。また、多重盤２００は終端局ではないため、ＳＵＢｃｈ「Ｔｅｓｔ１」の終端局の設定は空白にしておく。
【００６５】
つぎに、通信装置＃２が、ステップＳ３０４によって設定された設定情報を通信装置＃１，＃３，＃４のそれぞれに対して通知する（ステップＳ３０５）。これに対して、通信装置＃１は、通知された設定情報に含まれるＳＵＢｃｈ名称「Ｔｅｓｔ１」が自局に設定されているため、通信装置＃２との間で自局の設定情報を送受信し、互いの設定情報を含む共通のテーブルを作成する（ステップＳ３０６）。
【００６６】
一方、通信装置＃３，＃４は、通信装置＃２から通知された設定情報に含まれるＳＵＢｃｈ名称「Ｔｅｓｔ１」が自局に設定されていないため、テーブルの作成は行わない。つぎに、保守者が、通信装置＃３のＳＵＢｃｈ設定を行う（ステップＳ３０７）。ステップＳ３０７においては、ＳＵＢｃｈの名称を「Ｔｅｓｔ１」に設定する。また、ＳＵＢｃｈ「Ｔｅｓｔ１」に属する通信装置＃３の対象多重盤を多重盤３００に設定する。
【００６７】
また、ＳＵＢｃｈ「Ｔｅｓｔ１」の使用波長をλ１に設定する。また、ＳＵＢｃｈ「Ｔｅｓｔ１」のＡ／Ｄ／Ｔ設定を「Ｔｈｒｏｕｇｈ」に設定する。また、多重盤３００は始端局でも終端局でもないため、ＳＵＢｃｈ「Ｔｅｓｔ１」の始端局および終端局の設定は空白にしておく。つぎに、通信装置＃３が、ステップＳ３０７によって設定された設定情報を通信装置＃１，＃２，＃４のそれぞれに対して通知する（ステップＳ３０８）。
【００６８】
これに対して、通信装置＃１，＃２は、通知された設定情報に含まれるＳＵＢｃｈ名称「Ｔｅｓｔ１」が自局に設定されているため、通信装置＃３との間で自局の設定情報を送受信し、互いの設定情報を含む共通のテーブルを作成する（ステップＳ３０９）。一方、通信装置＃４は、通信装置＃３から通知された設定情報に含まれるＳＵＢｃｈ名称「Ｔｅｓｔ１」が自局に設定されていないため、テーブルの作成は行わない。
【００６９】
つぎに、保守者が、通信装置＃４のＳＵＢｃｈ設定を行う（ステップＳ３１０）。ここでは、ＳＵＢｃｈの名称を「Ｔｅｓｔ１」に設定する。また、ＳＵＢｃｈ「Ｔｅｓｔ１」に属する通信装置＃４の対象多重盤を多重盤４００に設定する。また、ＳＵＢｃｈ「Ｔｅｓｔ１」の使用波長をλ１に設定する。
【００７０】
また、ＳＵＢｃｈ「Ｔｅｓｔ１」の終端局を多重盤４００に設定する。また、ＳＵＢｃｈ「Ｔｅｓｔ１」のＡ／Ｄ／Ｔ設定を「Ｗｅｓｔ」に設定する。Ａ／Ｄ／Ｔ設定の「Ｗｅｓｔ」は、自局が終端局であることを示している。また、多重盤４００は始端局ではないため、ＳＵＢｃｈ「Ｔｅｓｔ１」の始端局の設定は空白にしておく。
【００７１】
つぎに、通信装置＃４が、ステップＳ３１０によって設定された設定情報を通信装置＃１〜＃３のそれぞれに対して通知する（ステップＳ３１１）。これに対して、通信装置＃１〜＃３は、通知された設定情報に含まれるＳＵＢｃｈ名称「Ｔｅｓｔ１」が自局に設定されているため、通信装置＃４との間で自局の設定情報を送受信し、互いの設定情報を含む共通のテーブルを作成し（ステップＳ３１２）、一連の設定手順を終了する。
【００７２】
図４は、図３のステップＳ３０３において作成されるテーブルを示す図である。図３のステップＳ３０３において、通信装置＃１は、多重盤１００に関するＳＵＢｃｈの設定情報を含むテーブル４０１を作成する。テーブル４０１には、対象の多重盤ごとに、その多重盤に関するＳＵＢｃｈの設定情報が含まれている。この時点では、多重盤１００に関するＳＵＢｃｈの設定情報のみがテーブル４０１に含まれている。また、終端局が決まっていないため、テーブル４０１において終端局の設定は空白になっている。
【００７３】
図５は、図３のステップＳ３０６において作成されるテーブルを示す図である。図３のステップＳ３０６において、通信装置＃１および通信装置＃２は、多重盤１００に関するＳＵＢｃｈの設定情報と、多重盤２００に関するＳＵＢｃｈの設定情報と、を含むテーブル５０１を作成する。したがって、テーブル５０１は、図４に示したテーブル４０１に、多重盤２００に関するＳＵＢｃｈの設定情報を加えたテーブルになる。
【００７４】
図６は、図３のステップＳ３０９において作成されるテーブルを示す図である。図３のステップＳ３０９において、通信装置＃１〜＃３は、多重盤１００に関するＳＵＢｃｈの設定情報と、多重盤２００に関するＳＵＢｃｈの設定情報と、多重盤３００に関するＳＵＢｃｈの設定情報と、を含むテーブル６０１を作成する。したがって、テーブル６０１は、図５に示したテーブル５０１に、多重盤３００に関するＳＵＢｃｈの設定情報を加えたテーブルになる。
【００７５】
図７は、図３のステップＳ３１２において作成されるテーブルを示す図である。図３のステップＳ３１２において、通信装置＃１〜＃４は、多重盤１００に関するＳＵＢｃｈの設定情報と、多重盤２００に関するＳＵＢｃｈの設定情報と、多重盤３００に関するＳＵＢｃｈの設定情報と、多重盤４００に関するＳＵＢｃｈの設定情報と、を含むテーブル７０１を作成する。したがって、テーブル７０１は、図６に示したテーブル６０１に、多重盤４００に関するＳＵＢｃｈの設定情報を加えたテーブルになる。
【００７６】
図８は、各通信装置が共有するテーブルを示す図である。図３に示した各ステップの終了後に、通信装置＃１〜＃４は、図８に示すテーブル８０１を共有する。テーブル８０１は、図７に示したテーブル７０１をまとめたテーブルである。テーブル８０１には、ＳＵＢｃｈ名称、始端局、終端局、中間局および使用波長の設定情報が含まれている。
【００７７】
具体的には、テーブル８０１においては、ＳＵＢｃｈ名称は、「Ｔｅｓｔ１」に設定されている。また、始端局は通信装置＃１の多重盤１００に設定されている。また、終端局は通信装置＃４の多重盤４００に設定されている。また、中間局は多重盤２００および多重盤３００に設定されている。また、使用波長はλ１に設定されている。
【００７８】
図９は、パスの設定手順の一例を示すシーケンス図である。ここでは、図１の実線で示した、通信装置＃１と通信装置＃４の間のパスを設定する手順について説明する。まず、保守者が、通信装置＃１のＳＵＢｃｈ設定を行う（ステップＳ９０１）。ステップＳ９０１においては、パスを設定するＳＵＢｃｈの名称を「Ｔｅｓｔ１」に設定する。
【００７９】
また、使用するポート番号をＰ１に設定する。また、通信装置＃１の多重盤１００を、このパスのＥａｓｔ側の分岐挿入点に設定する（Ｅａｓｔ：Ａｄｄ／Ｄｒｏｐ）。つぎに、通信装置＃１が、ステップＳ９０１によって設定された設定情報を通信装置＃２〜＃４のそれぞれへ通知する（ステップＳ９０２）。
【００８０】
つぎに、通信装置＃２〜＃４のそれぞれが、ステップＳ９０２による通知に応じて、ＳＵＢｃｈ「Ｔｅｓｔ１」におけるポート番号１をＬｏｏｐｂａｃｋに設定する（ステップＳ９０３）。具体的には、通信装置＃２〜＃４のそれぞれは、ポート番号Ｐ１の出力ポートを宛先とする信号を受信した場合に、この信号をＬｏｏｐｂａｃｋするように信号処理部２３０、信号処理部３３０および信号処理部４３０の設定を行う。
【００８１】
つぎに、保守者が、通信装置＃４のＳＵＢｃｈ設定を行う（ステップＳ９０４）。ここでは、パスを設定するＳＵＢｃｈの名称を「Ｔｅｓｔ１」に設定する。また、使用するポート番号をＰ１に設定する。また、通信装置＃４を、このパスのＷｅｓｔ側の分岐挿入点に設定する（Ｗｅｓｔ：Ａｄｄ／Ｄｒｏｐ）。
【００８２】
つぎに、通信装置＃４が、ＳＵＢｃｈ「Ｔｅｓｔ１」におけるポート番号Ｐ１の設定をＬｏｏｐｂａｃｋからＡｄｄ／Ｄｒｏｐに変更する（ステップＳ９０５）。具体的には、通信装置＃４は、ポート番号Ｐ１の出力ポートを宛先とする信号を受信した場合に、この信号を出力ポート４４１へ出力するように信号処理部４３０の設定を行う。
【００８３】
これにより、多重盤１００の入力ポート１２１からＡｄｄされた信号は、多重盤２００および多重盤３００においてはＬｏｏｐｂａｃｋされ、通信装置＃４の多重盤４００においては出力ポート４４１からＤｒｏｐされる。また、多重盤４００の入力ポート４２１からＡｄｄされた信号は、多重盤２００および多重盤３００においてはスルーされ、通信装置＃１の多重盤１００においては出力ポート１４１からＤｒｏｐされる。
【００８４】
図１０は、通信装置の具体的な構成例を示すブロック図である。図１０において、図１に示した構成と同様の構成については同一の符号を付して説明を省略する。ここでは、通信装置＃１と通信装置＃２の具体的な構成例を示している。通信装置＃１は、図１に示した構成に加えて、波長多重部１０１１と、スイッチ１０１２と、スイッチ１０１３と、を備えている。波長多重部１０１１は、通信装置＃２から送信された信号を多重分離する。
【００８５】
波長多重部１０１１は、多重分離した信号のうちの波長λ１の信号をスイッチ１０１２へ出力する。また、波長多重部１０１１は、スイッチ１０１３から出力された波長λ１の信号と、通信装置＃１に備えられ、多重盤１００とは異なる多重盤（不図示）から出力された波長λ２（≠λ１）の信号と、を波長多重する。波長多重部１０１１は、波長多重した信号を通信装置＃２へ送信する。
【００８６】
スイッチ１０１２は、ＯＮのときには波長多重部１０１１から出力された信号を受信部１１０へ出力する。また、スイッチ１０１２は、ＯＦＦのときには波長多重部１０１１から出力された信号を遮断する。受信部１１０は、スイッチ１０１２から出力された信号を受信する。送信部１５０は、スイッチ１０１３へ信号を出力する。
【００８７】
スイッチ１０１３は、ＯＮのときには送信部１５０から出力された信号を波長多重部１０１１へ出力する。また、スイッチ１０１３は、ＯＦＦのときには送信部１５０から出力された信号を遮断する。ここでは、多重盤１００を、ＳＵＢｃｈ「Ｔｅｓｔ１」の始端局として用いるため、スイッチ１０１２およびスイッチ１０１３はともにＯＮにしておく。
【００８８】
通信装置＃２は、図１に示した構成に加えて、波長多重部１０２１と、スイッチ１０２２と、スイッチ１０２３と、波長多重部１０２４と、スイッチ１０２５と、スイッチ１０２６と、を備えている。波長多重部１０２１は、通信装置＃１から送信された信号を多重分離する。波長多重部１０２１は、多重分離した信号のうちの波長λ１の信号をスイッチ１０２２へ出力する。また、波長多重部１０２１は、スイッチ１０２６から出力された信号を波長多重する。波長多重部１０２１は波長多重した信号を通信装置＃１へ送信する。
【００８９】
スイッチ１０２２は、ＯＮのときには波長多重部１０２１から出力された信号を受信部２１０へ出力する。また、スイッチ１０２２は、ＯＦＦのときには波長多重部１０２１から出力された信号を遮断する。受信部２１０は、スイッチ１０２２から出力された信号を受信する。送信部２５０は、スイッチ１０２３へ信号を出力する。
【００９０】
スイッチ１０２３は、ＯＮのときには送信部２５０から出力された信号を波長多重部１０２４へ出力する。また、スイッチ１０２３は、ＯＦＦのときには送信部２５０から出力された信号を遮断する。波長多重部１０２４は、スイッチ１０２３から出力された波長λ１の信号と、通信装置＃２に備えられ、多重盤１００とは異なる多重盤（不図示）から出力された波長λ２（≠λ１）の信号と、を波長多重する。
【００９１】
波長多重部１０２４は、波長多重した信号を通信装置＃３へ送信する。また、波長多重部１０２４は、通信装置＃３から送信された信号を多重分離する。波長多重部１０２４は、多重分離した信号のうちの波長λ１の信号をスイッチ１０２５へ出力する。
【００９２】
スイッチ１０２５は、ＯＮのときには波長多重部１０２４から出力された信号をスイッチ１０２６へ出力する。また、スイッチ１０２５は、ＯＦＦのときには波長多重部１０２４から出力された信号を遮断する。スイッチ１０２６は、ＯＮのときにはスイッチ１０２５から出力された信号を波長多重部１０２１へ出力する。また、スイッチ１０２６は、ＯＦＦのときにはスイッチ１０２５から出力された信号を遮断する。
【００９３】
ここでは、多重盤２００を、ＳＵＢｃｈ「Ｔｅｓｔ１」の中間局として用いるため、スイッチ１０２２およびスイッチ１０２３はともにＯＮにしておく。また、スイッチ１０２５およびスイッチ１０２６もともにＯＮにしておく。スイッチ１０２５およびスイッチ１０２６はともにＯＮにしておくことで、図１に示したスルー経路２６０が構成される。
【００９４】
なお、多重盤２００をＳＵＢｃｈ「Ｔｅｓｔ１」から外す場合は、スイッチ１０２２およびスイッチ１０２３をともにＯＦＦにすればよい。この場合は、点線に示すように、通信装置＃１からの信号を通信装置＃３へ通過させるスルー経路１０２７が構成される。このため、多重盤２００は、通信装置＃３からの信号を通信装置＃１へ通過させるとともに、通信装置＃１からの信号を通信装置＃３へ通過させる伝送路として働く。
【００９５】
反対に、多重盤２００をＳＵＢｃｈ「Ｔｅｓｔ１」に加える場合は、スイッチ１０２２およびスイッチ１０２３をともにＯＮにすればよい。ここでは通信装置＃１と通信装置＃２の構成例について説明したが、通信装置＃３は通信装置＃２と同様の構成にすることができる。また、通信装置＃４は通信装置＃１と同様の構成にすることができる。
【００９６】
図１１は、図１に示した通信システムの変形例を示すブロック図である。図１１において、図１に示した構成と同様の構成については同一の符号を付して説明を省略する。図１においては、通信装置＃１と通信装置＃４が直接光ファイバ（経路１１）によって接続され、通信装置＃１〜＃４がリング状に接続されている構成について説明した。
【００９７】
これに対して、図１１に示すように、通信装置＃１と通信装置＃４は直接光ファイバによって接続されていなくてもよい。すなわち、通信装置＃１〜＃４は、物理的にリニアに接続されていてもよい。このように、通信システム１０は、リング状のネットワークにおいても、リニアなネットワークにおいても実現可能である。
【００９８】
このように、実施の形態にかかる通信システム１０によれば、始端局の通信装置＃１から終端局の通信装置＃４への一方向のみで信号の挿入および分岐の処理を行い、終端局の通信装置＃４から始端局の通信装置＃１への方向においては信号を通過させることで、信号の挿入および分岐の処理を一方向のみにすることができる。このため、新たに多重盤を設けることなく、任意の通信装置の間で同一波長の複数のパスを設定することができる。
【００９９】
以上説明したように、開示の通信システムおよび通信装置によれば、使用波長または多重盤を追加することなく、任意の通信装置の間で複数のパスを設定することができる。上述した実施の形態に関し、さらに以下の付記を開示する。
【０１００】
（付記１）リニアに接続され、受信した信号を分岐または送信し、送信する信号に他の信号を挿入する始端局、中間局および終端局を備える通信システムにおいて、
後段の中間局へ信号を送信するとともに、前記終端局から送信されて前記中間局を通過した信号を受信する通信装置を有する始端局と、
前段局からの信号を受信し、後段局へ信号を送信するとともに、前記後段局からの信号を前記前段局へ通過させる通信装置を有する中間局と、
前段の中間局からの信号を受信するとともに、前記中間局を通過させて前記始端局へ信号を送信する通信装置を有する終端局と、
を備えることを特徴とする通信システム。
【０１０１】
（付記２）前記始端局、中間局および終端局が有する各通信装置は、互いに同一の波長の信号を時間多重によって送受信する各多重盤をそれぞれ備えており、前記各多重盤の間で複数のパスが設定されることを特徴とする付記１に記載の通信システム。
【０１０２】
（付記３）前記始端局、中間局および終端局は、光ファイバによってリング状に接続された各局であって、論理的にリニアに接続されていることを特徴とする付記１または２に記載の通信システム。
【０１０３】
（付記４）前記始端局の通信装置は、
前記終端局から送信され、前記中間局を通過した自局宛の信号および前記中間局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を後段の中間局へ送信する送信手段と、
を備えることを特徴とする付記１〜３のいずれか一つに記載の通信システム。
【０１０４】
（付記５）前記中間局の通信装置は、
前段局から送信された信号を受信する受信手段と、
前記受信手段によって受信された信号のうちの自局宛の信号を出力する出力ポートと、
前段局宛の信号および後段局の信号が入力される入力ポートと、
前記受信手段によって受信された信号のうちの前段局宛の信号および後段局宛の信号と、前記入力ポートから入力された信号と、を後段局へ送信する送信手段と、
後段局から送信された自局宛の信号および前段局宛の信号を前段局へ通過させるスルー経路と、
を備えることを特徴とする付記１〜４のいずれか一つに記載の通信システム。
【０１０５】
（付記６）前記終端局の通信装置は、
前段の中間局から送信された、自局宛の信号および前記前段の中間局より前段の他局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を前記中間局を通過させて前記始端局へ送信する送信手段と、
を備えることを特徴とする付記１〜５のいずれか一つに記載の通信システム。
【０１０６】
（付記７）リニアに接続された始端局、中間局および終端局のうちの始端局の通信装置において、
前記終端局から送信され、前記中間局を通過した自局宛の信号および前記中間局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を後段の中間局へ送信する送信手段と、
を備えることを特徴とする通信装置。
【０１０７】
（付記８）リニアに接続された始端局、中間局および終端局のうちの中間局の通信装置において、
前段局から送信された信号を受信する受信手段と、
前記受信手段によって受信された信号のうちの自局宛の信号を出力する出力ポートと、
前段局宛の信号および後段局の信号が入力される入力ポートと、
前記受信手段によって受信された信号のうちの前段局宛の信号および後段局宛の信号と、前記入力ポートから入力された信号と、を後段局へ送信する送信手段と、
後段局から送信された自局宛の信号および前段局宛の信号を前段局へ通過させるスルー経路と、
を備えることを特徴とする通信装置。
【０１０８】
（付記９）リニアに接続された始端局、中間局および終端局のうちの終端局の通信装置において、
前段の中間局から送信された、自局宛の信号および前記前段の中間局より前段の他局宛の信号を受信する受信手段と、
前記受信手段によって受信された信号のうちの自局宛の信号を出力する出力ポートと、
他局宛の信号が入力される入力ポートと、
前記受信手段によって受信された信号のうちの他局宛の信号と、前記入力ポートから入力された信号と、を前記中間局を通過させて前記始端局へ送信する送信手段と、
を備えることを特徴とする通信装置。
【図面の簡単な説明】
【０１０９】
【図１】実施の形態にかかる通信システムの機能的構成を示すブロック図である。
【図２】図１に示したスルー経路の変形例を示すブロック図である。
【図３】ＳＵＢｃｈの設定手順の一例を示すシーケンス図である。
【図４】図３のステップＳ３０３において作成されるテーブルを示す図である。
【図５】図３のステップＳ３０６において作成されるテーブルを示す図である。
【図６】図３のステップＳ３０９において作成されるテーブルを示す図である。
【図７】図３のステップＳ３１２において作成されるテーブルを示す図である。
【図８】各通信装置が共有するテーブルを示す図である。
【図９】パスの設定手順の一例を示すシーケンス図である。
【図１０】通信装置の具体的な構成例を示すブロック図である。
【図１１】図１に示した通信システムの変形例を示すブロック図である。
【符号の説明】
【０１１０】
＃１〜＃４  通信装置
１０  通信システム
１１  経路
１００，２００，３００，４００  多重盤
１１０，２１０，３１０，４１０  受信部
１２１〜１２３，２２１〜２２３，３２１〜３２３，４２１〜４２３  入力ポート
１３０，２３０，３３０，４３０  信号処理部
１４１〜１４３，２４１〜２４３，３４１〜３４３，４４１〜４４３  出力ポート
１５０，２５０，３５０，４５０  送信部
２０１  ドロップイン部
２０２  信号処理モジュール
２０３  アドアウト部
２０４  スルーイン部
２０５  スルーアウト部
２６０，３６０，１０２７  スルー経路
４０１，５０１，６０１，７０１，８０１  テーブル
１０１１，１０２１，１０２４  波長多重部
１０１２，１０１３，１０２２，１０２３，１０２５，１０２６  スイッチ
【図１】
2009239873.tif 000003
【図２】
2009239873.tif 000004
【図３】
2009239873.tif 000005
【図４】
2009239873.tif 000006
【図５】
2009239873.tif 000007
【図６】
2009239873.tif 000008
【図７】
2009239873.tif 000009
【図８】
2009239873.tif 000010
【図９】
2009239873.tif 000011
【図１０】
2009239873.tif 000012
【図１１】
2009239873.tif 000013